(57)【要約】【課題】アンテナ端部の磁性材料を略直角に折り曲げた構成とすることにより、ファイルの配列方向両端部に配置されたＲＦタグの情報も正確に読み取ることができるハンディリーダを提供する。【解決手段】このアンテナ３４は、磁性材料からなるコア４３と、コア４３に巻き回したループコイル４２と、コア４３の両端７１ａ、７１ｂから夫々接続された側板４０と、側板４０の外側への磁束の漏洩を防止する導体４１と、コア４３、ループコイル４２及び側板４０を保持する筐体カバー３５と、を備えて構成されている。尚、側板４０は、コア４３と磁気的に接続された磁性材料により構成されている。【選択図】図４
2008005366.tif 000002
【特許請求の範囲】
【請求項１】
物品に取り付けた非接触情報記録媒体と交信し記録された情報を受信するアンテナであって、
磁性材料からなるコアと、該コアに巻き回したループコイルと、前記コアの少なくとも一端に接続された側板と、を備え、
前記側板は、前記コアと磁気的に接続された磁性材料により構成されていることを特徴とするアンテナ。
【請求項２】
物品に取り付けた非接触情報記録媒体と交信し記録された情報を受信するアンテナであって、
磁性材料からなるコアと、該コアに巻き回したループコイルと、前記コアの両端に夫々接続された側板と、を備え、
前記側板は、前記コアと磁気的に接続された磁性材料により構成されていることを特徴とするアンテナ。
【請求項３】
前記側板の一面に前記物品を近接させることにより、前記非接触情報記録媒体と交信し記録された情報を受信することを特徴とする請求項１又は２に記載のアンテナ。
【請求項４】
前記側板の外側への磁束の漏洩を防止する導体を設けたことを特徴とする請求項１、２又は３に記載のアンテナ。
【請求項５】
前記側板は、該側板から放射される磁束が前記物品に取り付けられた非接触情報記録媒体を構成するループアンテナと交差するように配置されることを特徴とする請求項１乃至４の何れか一項に記載のアンテナ。
【請求項６】
前記アンテナ全体を覆う筐体カバーを備え、該筐体カバーに取っ手を備えたことを特徴とする請求項１乃至５の何れか一項に記載のアンテナ。
【請求項７】
前記筐体カバーの適所に前記側板から放射される磁束を断接するスイッチを備えたことを特徴とする請求項１乃至６の何れか一項に記載のアンテナ。
【請求項８】
前記側板を２つ備え、前記両側板間の距離を接近離間自在に支持するスライド手段を備えたことを特徴とする請求項１乃至７の何れか一項に記載のアンテナ。
【請求項９】
請求項１乃至８の何れか一項に記載のアンテナと、該アンテナから受信した情報を処理するリーダ本体と、を備えたことを特徴とするハンディリーダ。
【発明の詳細な説明】
【技術分野】
【０００１】
本発明は、アンテナ及びハンディリーダに関し、さらに詳しくは、ＲＦタグを取り付けた物品の管理情報を受信するアンテナの構成技術に関するものである。
【背景技術】
【０００２】
従来から役所、会社等、大量の書類を管理、保管する機関、施設においては、書類を整理して収納するためのファイルを人為的なミスなく正確に自動的に管理、収納するために、各ファイル毎にＲＦタグを付し、そのＲＦタグに当該ファイルの管理情報を記録してファイル管理を自動化する試みがなされている。しかし、このようなシステムでは、書類の管理がファイル単位で行われており、ファイルに綴じられている書類１枚ごとに管理することができなかったため、ファイル自体の所在等を正確に管理したとしても、中身の書類が抜かれたり、或いは紛失したことをきめ細かく管理することはできなかった。
そこで、ファイル棚の仕切り板にアンテナを埋め込み、各仕切り板間に挟まれた書類に付されたＲＦタグの記録情報を一括して読み取るファイリング装置が開発されている。しかし、このようなファイリング装置は、各仕切り板にアンテナを設ける必要があり、且つ各アンテナを順次切り替えて使用するための切り替え手段が必要となるため、ファイリング装置そのもののコストが高くなるばかりでなく、オンラインで管理する場合、管理すべきファイルは必ずこのファイリング装置に収容する必要があるため、ファイル数が増加し、増加したファイル分だけファイリング装置を増やさなければならないといった問題がある。
この問題を解決するために、特許文献１には、図８に示すように、ハンディタイプのアンテナ９０或いは９３をファイル群９１の間に差し込み、各ファイルに取り付けられたＲＦタグ９２の情報を読み取る技術について開示されている。
【０００３】
【特許文献１】特許第３５５１９６２号
【発明の開示】
【発明が解決しようとする課題】
【０００４】
しかしながら特許文献１に開示されている従来技術は、専用のファイル棚を必要としないが、隣接するファイルに取り付けられたＲＦタグの情報も同時に読み取ってしまい、ファイル単位の読み取りが困難であるといった問題がある。
本発明は、かかる課題に鑑みてなされたものであり、アンテナ端部に磁性材料により形成される側板を接続することにより、この側板に近接して配置されたホルダ内に収納された書類に付されたＲＦタグの情報のみを受信することができるアンテナを提供することを目的とする。
また他の目的は、側板を構成する磁性材料の外側に、隣接した空間への磁束の漏洩を防止する導体を設けることにより、隣接したファイルに配置されたＲＦタグに対する磁束の影響を低減することである。
【課題を解決するための手段】
【０００５】
本発明はかかる課題を解決するために、請求項１は、物品に取り付けた非接触情報記録媒体と交信し記録された情報を受信するアンテナであって、磁性材料からなるコアと、該コアに巻き回したループコイルと、前記コアの少なくとも一端に接続された側板と、を備え、前記側板は、前記コアと磁気的に接続された磁性材料により構成されていることを特徴とする。
コアの一端に側板を接続して配置すると、そのコアの端部から空間に向かって磁束が放射される。本発明はこの原理を利用して、空間に放射された磁束内に非接触情報記録媒体を取り付けた物品を置くようにして、情報を受信するものである。
請求項２は、物品に取り付けた非接触情報記録媒体と交信し記録された情報を受信するアンテナであって、磁性材料からなるコアと、該コアに巻き回したループコイルと、前記コアの両端に夫々接続された側板と、を備え、前記側板は、前記コアと磁気的に接続された磁性材料により構成されていることを特徴とする。
コアの両端に側板を接続して配置すると、一方のコアの端部から他方のコアの端部に向かって磁束が放射される。本発明はこの原理を利用して、空間に放射された磁束内に非接触情報記録媒体を取り付けた物品を置くようにして、情報を受信するものである。
【０００６】
請求項３は、前記側板の一面に前記物品を近接させることにより、前記非接触情報記録媒体と交信し記録された情報を受信することを特徴とする。
側板が１つのアンテナの場合、可能な限り側板に近い位置に物品を配置することが重要である。即ち、側板からは磁束が空間に放射されているので、その磁束に物品を近接することにより、非接触情報記録媒体のループアンテナに強い磁束が交差する可能性が高くなる。
請求項４は、前記側板の外側への磁束の漏洩を防止する導体を設けたことを特徴とする。
複数の物品が隣接して置かれていた場合、磁束が外側に漏洩して隣接した物品の情報を受信する虞がある。そこで本発明では、外側への磁束の漏洩を防止するために、導体を側板の外側に備えるものである。
請求項５は、前記側板は、該側板から放射される磁束が前記物品に取り付けられた非接触情報記録媒体を構成するループアンテナと交差するように配置されることを特徴とする。
本発明のアンテナから放射される磁束は、一方の側板の端部から放射されて他方の側板の端部に戻る磁路を形成する。従って、非接触情報記録媒体を構成するループアンテナと磁束が直交するように交差するのが最適である。
【０００７】
請求項６は、全体を覆う筐体カバーを備え、該筐体カバーに取っ手を備えたことを特徴とする。
基本的にはコア、ループコイル及び側板があればアンテナとして機能するが、ハンディタイプとするためには、小型で且つ操作性が良くなければならない。そこで本発明では、操作性を高めるために、筐体カバーに取っ手を備えるものである。
請求項７は、前記筐体カバーの適所に前記側板から放射される磁束を断接するスイッチを備えたことを特徴とする。
本発明のアンテナは、有線又は無線により別体のリーダ本体に接続される。物品に取り付けられた非接触情報記録媒体の情報を受信するためのアンテナの操作性を良くするためには、アンテナ側に磁束を断接するスイッチを備えることが好ましい。
【０００８】
請求項８は、前記側板を２つ備え、前記両側板間の距離を接近離間自在に支持するスライド手段を備えたことを特徴とする。
側板が２つある場合、情報を読み取る物品は２つの側板の間に挟みこまれて読み取られる。そして両側板間の距離が近接するほど磁束の強さが強くなる。従って、書類等の薄い物品は可能な限り両側板間の距離を近づける必要がある。そこで本発明では、スライド手段を備えて両側板間の距離を接近離間自在にするものである。
請求項９は、請求項１乃至８の何れか一項に記載のアンテナと、該アンテナから受信した情報を処理するリーダ本体と、を備えたことを特徴とする。
本発明のハンディリーダは、本発明のアンテナとリーダ本体を備えて構成されている。そして、ハンディタイプのリーダの場合、アンテナが自由に読取対象物に近接されることが重要である。その点、本発明のアンテナを使用することにより、ハンディリーダとしての機能を充分発揮することができる。
【発明の効果】
【０００９】
本発明によれば、磁性材料からなるコアと、このコアに巻き回したループコイルと、コアの少なくとも一端に接続された側板と、を備え、この側板は、コアと磁気的に接続された磁性材料により構成されているので、側板から放射される磁束が非接触情報記録媒体を構成するループコイルと略直交するように交差することができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なリーダライタの構成を示すブロック図である。このリーダライタ１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣカード（ＲＦタグ）との電力用搬送波とデータの授受をするループアンテナ９とを備えて構成されている。
【００１１】
次に、本構成によるリーダライタ１００の動作を説明する前に、ＩＣカード（ＲＦタグ）の構成を先に説明しておく。図２は、本発明のＩＣカード（ＲＦタグ）の構成を示すブロック図である。本実施形態のＩＣカード（ＲＦタグ）２００は、リーダライタ１００からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣカード（ＲＦタグ）２００の全体の動作を制御する制御回路２６から構成されている。
【００１２】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣカード（ＲＦタグ）２００に供給する電力供給用信号と、ポーリング信号を交互に電力増幅器７から送信する。その信号は、ループアンテナ９から電磁波として外部に放射される。次に、ＩＣカード（ＲＦタグ）２００がリーダライタ１００に近接すると、アンテナ２０が電力供給用信号を受信し、電力生成回路２２によりその搬送波を整流して直流電力に変換して、ＲＦタグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１００がループアンテナ９で受信して、検波復調器８で２値化コードに変換し、制御回路２により解析してＩＣカード（ＲＦタグ）２００が規格に合致したＩＣカード（ＲＦタグ）であると認識する。
【００１３】
図３は本発明のアンテナを使用して書類の情報を読み取っているハンディリーダの外観構成図である。このハンディリーダ３００は、アンテナ３４と、アンテナ３４から受信した情報を処理するリーダ本体１００と、リーダ本体１００を制御するＰＣ５０と、を備えて構成されている。そして、複数の書類３０には、夫々書類の管理情報を記録したＲＦタグ（非接触情報記録媒体）２００が取り付けられている。これらの書類は関連書類として１つのホルダ３２に収納される。また、バインドタイプのファイル３３であっても良い。そしてファイル３３にバインドされた書類に取り付けられたＲＦタグの管理情報を読む場合は、アンテナ３４の側板３５をファイル３３の隙間に差し込み、リーダ本体１００により側板３５から磁束を放射してＲＦタグの情報を読み取るものである。また、ホルダ３２に収納された書類３０に取り付けられたＲＦタグ２００の管理情報を読む場合は、アンテナ３４の側板３５を１つのホルダ３２を挟み込むようにして、リーダ本体１００により側板３５から磁束を放射してＲＦタグ２００の情報を読み取るものである。
【００１４】
図４は本発明の第１の実施形態に係るアンテナの構成図である。（ａ）は書類の情報を読み取っている外観構成図、（ｂ）は上面から見た一部断面図、（ｃ）は磁束の様子を示す模式図である。
本実施形態では、複数の書類３０には、夫々書類の管理情報を記録したＲＦタグ２００が取り付けられており、これらの書類は関連書類として１つのホルダ３２に収納される。そして、図４（ａ）のように、ホルダ３２に収納された書類３０に取り付けられたＲＦタグ２００の管理情報を受信する場合は、アンテナ３４の側板３５を１つのホルダ３２を挟み込むようにして、リーダ本体１００により側板３５から磁束を放射してＲＦタグ２００の情報を読み取るものである。
【００１５】
次に図４（ｂ）を参照してアンテナ３４の構成について説明する。このアンテナ３４は、磁性材料からなるコア４３と、コア４３に巻き回したループコイル４２と、コア４３の両端７１ａ、７１ｂから夫々接続された側板４０と、側板４０の外側への磁束の漏洩を防止する導体４１と、コア４３、ループコイル４２及び側板４０を保持する筐体カバー３５と、を備えて構成されている。尚、側板４０は、コア４３と磁気的に接続された磁性材料により構成されている。また、筐体カバー３５に取っ手４７を備え、その取っ手４７には、操作者が取っ手４７を握りやすくするための開口部４４があり、ループコイル４２へ電流を供給するケーブル４５が備えられている。また、本実施形態では、導体４１が備えられているが、ホルダ３２に隣接する他のホルダが無い場合は、導体４１が無くても構わない。また、取っ手４７は無くてもよいが、操作性を良くするためにはあった方が好ましい。また、筐体カバー３５は樹脂等の非磁性材料により構成されることが好ましい。また、側板４０のコアは棒状又は板状の形状を有し、棒状であればコスト的に安価に構成することができるが、磁束の幅が狭くなるため、一括して読む範囲が狭くなる。それに対して、板状であればコスト的には高くなるが、磁束の幅が広くなるため、一括して読む範囲を広くすることができる。
【００１６】
次に図４（ｃ）により本発明のアンテナ３４の磁束の流れについて説明する。ループコイル４２に電流を供給すると、例えば、コア４３に矢印の磁束４６ａが発生する。磁束４６ａは側板４０ａのコアを磁路として磁束４６ｂとなり伝播する。そして側板４０ａの端部から空間に磁束４６ｃとして対向する側板４０ａの端部に到達し、磁束４６ｄとして側板４０ａ内を伝播してコア４３に戻ってくる。これにより、磁束４６ａ、磁束４６ｂ、磁束４６ｃ、磁束４６ｄの閉じられた磁路が形成される。この状態で、側板４０ａ、４０ｂ間にホルダ３２を挟み込んだ場合、その中に書類３０に取り付けられたＲＦタグ２００が存在すると、磁束４６ｃがＲＦタグ２００のループコイルと交差するため、ＲＦタグ２００に記憶された管理情報をリーダ本体１００により読み取ることができる。尚、図４（ｃ）では磁束４６ｃを１本のみ記載しているが、実際は多くの磁束が側板４０ａと４０ｂ間に存在する。そのため、ＲＦタグの位置が多少ばらついても、管理情報を読むことができる。また、図４（ｃ）では書類３０が１つの場合について説明しているが、複数あっても構わない。
【００１７】
図５は本発明の第２の実施形態に係るアンテナの構成図である。（ａ）は書類の情報を読み取っている外観構成図、（ｂ）は上面から見た一部断面図、（ｃ）は磁束の様子を示す模式図である。同じ構成要素には図４と同じ参照番号を付して説明する。
本実施形態では、複数の書類３０には、夫々書類の管理情報を記録したＲＦタグ２００が取り付けられており、これらの書類は関連書類として１つのホルダ３２に収納される。そして、図５（ａ）のように、ホルダ３２に収納された書類３０に取り付けられたＲＦタグ２００の管理情報を読む場合は、アンテナ４７の側板４８を１つのホルダ３２に近接して、リーダ本体１００により側板４８から磁束を放射してＲＦタグ２００の情報を読み取るものである。
次に図５（ｂ）を参照してアンテナ４７の構成について説明する。このアンテナ４７は、磁性材料からなるコア５７と、コア５７に巻き回したループコイル５２と、コア５７の端部７２ａと接続された側板５１と、側板５１の外側への磁束の漏洩を防止する導体４９と、コア５７、ループコイル５２及び側板５１を保持する筐体カバー４８と、を備えて構成されている。尚、側板５１は、コア５７と磁気的に接続された磁性材料により構成されている。また、筐体カバー４８に取っ手５３を備え、その取っ手５３には、操作者が取っ手５３を握りやすくするための開口部５４があり、ループコイル５２へ電流を供給するケーブル５５が備えられている。また、本実施形態では、導体４９が備えられているが、ホルダ３２に隣接する他のホルダが無い場合は、導体４９が無くても構わない。また、取っ手５３は無くてもよいが、操作性を良くするためにはあった方が好ましい。また、筐体カバー４８は樹脂等の非磁性材料により構成されることが好ましい。また、側板５１のコアは棒状又は板状の形状を有し、棒状であればコスト的に安価に構成することができるが、磁束の幅が狭くなるため、一括して読む範囲が狭くなる。それに対して、板状であればコスト的には高くなるが、磁束の幅が広くなるため、一括して読む範囲を広くすることができる。
【００１８】
次に図５（ｃ）により本発明のアンテナ４７の磁束の流れについて説明する。ループコイル５２に電流を供給すると、例えば、コア５７に矢印の磁束５６ａが発生する。磁束５６ａは端部から空間に磁束５６ｂとして側板５１の端部に到達し、磁束５６ｃとして側板５１内を伝播してコア５７に戻ってくる。これにより、磁束５６ａ、磁束５６ｂ、磁束５６ｃの閉じられた磁路が形成される。この状態で、側板５１をホルダ３２近接した場合、その中に書類３０に取り付けられたＲＦタグ２００が存在すると、磁束５６ｂがＲＦタグ２００のループコイルと交差するため、ＲＦタグ２００に記憶された管理情報をリーダ本体１００により読み取ることができる。尚、図５（ｃ）では磁束５６ｂを１本のみ記載しているが、実際は多くの磁束がコア５７の端部と側板５１間に存在する。また、図５（ｃ）では書類３０が１つの場合について説明しているが、複数あっても構わない。
【００１９】
図６は本発明の第３の実施形態に係るアンテナの構成図である。（ａ）は上面から見た一部断面図、（ｂ）は（ａ）のＡ部拡大詳細図である。このアンテナ７３は、磁性材料からなるコア６４と、コア６４に巻き回したループコイル６３と、コア６４の端部６４ａとコア８１の端部８１ａから夫々接続された側板６２、６９と、側板６２、６９の外側への磁束の漏洩を防止する導体６１、６８と、コア６４、ループコイル６３及び側板６２、６９を保持する筐体カバー６０、６７と、を備えて構成されている。尚、側板６２、６９は、コア６４、８１と磁気的に接続された磁性材料により構成されている。また、筐体カバー６０に取っ手６５を備え、その取っ手６５には、操作者が取っ手６５を握りやすくするための開口部７０があり、ループコイル６３へ電流を供給するケーブル６６が備えられている。また、本実施形態では、導体６１、６８が備えられているが、ホルダ３２に隣接する他のホルダが無い場合は、導体６１、６８が無くても構わない。また、取っ手６５は無くてもよいが、操作性を良くするためにはあった方が好ましい。また、筐体カバー６０、６７は樹脂等の非磁性材料により構成されることが好ましい。また、側板６２、６９のコアは棒状又は板状の形状を有し、棒状であればコスト的に安価に構成することができるが、磁束の幅が狭くなるため、一括して読む範囲が狭くなる。それに対して、板状であればコスト的には高くなるが、磁束の幅が広くなるため、一括して読む範囲を広くすることができる。本実施形態では、側板を２つ備え、両側板間の距離を接近離間自在に支持するスライド手段（Ａ部）を備えている。
図６（ｂ）を参照してスライド手段の構成について説明する。コア６４の一部を細くしてコア８０を形成し、コア８０がコア８１に内挿されるように構成する。それに伴って、筐体カバー６０と６７も同じようにスライド構成にし、導体６１と６８は接触部８２により電気的に接続されるように構成する。この構成により、矢印Ｂの方向に側板６９を接近させたり、離間させることができる。
【００２０】
図７は本発明の第４の実施形態に係るアンテナの構成図である。（ａ）は上面から見た一部断面図、（ｂ）は磁束の様子を示す模式図である。同じ構成要素には図４と同じ参照番号を付して説明する。図７が図４と異なる点は、筐体カバー４７の適所に側板４０から放射される磁束を断接するスイッチ８３を備えたことである。このスイッチ８３は、（ｂ）に示すように、ループコイル４２の一方の回路に直列に挿入して、ループコイル４２に電流をＯＮ・ＯＦＦすることにより、磁束を任意に発生したり、停止したりすることができる。尚、スイッチ８３の形態は、オルタネイト方式によりＯＮ／ＯＦＦを切り替えたり、スイッチを押している間だけループコイル４２に電流が流れ、スイッチを離すと電流が切れるようにしても良い。スイッチ８３で回路を切断するのではなく、制御装置２から出力される搬送波をＯＮ／ＯＦＦしてもよい。
【００２１】
以上の通り本発明によれば、磁性材料からなるコア５７と、このコア５７に巻き回したループコイル５２と、コア５２の少なくとも一端に接続された側板５１と、を備え、この側板５１は、コア５２と磁気的に接続された磁性材料により構成されているので、側板５１から放射される磁束５６ｂがＲＦタグ２００を構成するループコイルと略直交するように交差することができる。
また、磁性材料からなるコア４３と、コア４３に巻き回したループコイル４２と、コア４３の両端に夫々接続された側板４０と、を備え、側板４０は、コア４３と磁気的に接続された磁性材料により構成されているので、磁束４６ｃをＲＦタグ２００のループコイルに交差させることが容易となる。
また、側板５１の一面に物品を近接させることにより、ＲＦタグ２００に記録された情報を受信するので、側板５１から放射された磁束５６ｂが必ずＲＦタグ２００のループコイルに交差させることができる。
【００２２】
また、側板４０の外側への磁束の漏洩を防止する導体４１を設けたので、ホルダ３２に隣接するホルダがあってもそのホルダに磁束が流れることを防止することができる。
また、側板４０は、側板４０から放射される磁束４６ｃが物品に取り付けられたＲＦタグ２００を構成するループアンテナと交差するように配置されるので、ＲＦタグ２００の情報を確実に読み取ることができる。
また、コア４３、ループコイル４２及び側板４０を保持する筐体カバー３５を備え、筐体カバー３５に取っ手４７を備えたので、操作性を向上することができる。
また、筐体カバー４７の適所に側板４０から放射される磁束４６ｃを断接するスイッチ８３を備えたので、操作性が更に増すと共に、無駄な磁束の発生を抑制することができる。
また、側板を２つ備え、両側板６２、６９間の距離を接近離間自在に支持するスライド手段を備えたので、ホルダの大きさに応じて側板間の距離を最適に調整することができる。
【図面の簡単な説明】
【００２３】
【図１】一般的なリーダライタの構成を示すブロック図である。
【図２】ＩＣカード（ＲＦタグ）の構成を示すブロック図である。
【図３】本発明のアンテナを使用して書類の情報を読み取っているハンディリーダの外観構成図である。
【図４】本発明の第１の実施形態に係るアンテナの構成図である。
【図５】本発明の第２の実施形態に係るアンテナの構成図である。
【図６】本発明の第３の実施形態に係るアンテナの構成図である。
【図７】本発明の第４の実施形態に係るアンテナの構成図である。
【図８】従来のアンテナの構成図である。
【符号の説明】
【００２４】
３０  書類、３２  ホルダ、３３  ファイル、３４  アンテナ、３５  筐体カバー、４０  側板、４１  導体、４２  ループコイル、４３  コア、４４  開口部、４５  ケーブル、４７  取っ手、５０  ＰＣ、１００  リーダ本体、２００  ＲＦタグ、３００  ハンディリーダ
【図１】
2008005366.tif 000003
【図２】
2008005366.tif 000004
【図３】
2008005366.tif 000005
【図４】
2008005366.tif 000006
【図５】
2008005366.tif 000007
【図６】
2008005366.tif 000008
【図７】
2008005366.tif 000009
【図８】
2008005366.tif 000010